(57)【要約】【課題】熱交換器に付着した塵埃を除去するための洗浄装置を備えた空気調和機において、熱交換器上部に設けられた散水管から熱交換器への洗浄液等の散水を、的確かつ安価に行うことができる空気調和機を提供すること。【解決手段】熱交換器４と、熱交換器４を構成するフィン２１と、熱交換器４の上方にあってフィン２１を貫挿するように配置され、かつフィン２１の成型によりフィン２１に一体加工された短円筒部２２を連続することにより構成された散水用管部２５とを有し、熱交換器４の洗浄を行う際に、機外ポンプにより加圧された洗浄液を散水管部２５を介して、熱交換器４に散水するように構成した。【選択図】図１
2008020088.tif 000002
【特許請求の範囲】
【請求項１】
熱交換器と、前記熱交換器を構成するフィンと、前記熱交換器の上方にあって前記フィンを貫挿するように配置され、かつ前記フィンの成型によりフィンと一体加工された連続した略短円筒型のフィン材により構成された散水管部とを有し、前記熱交換器の洗浄を行う際に、ポンプにより加圧された洗浄液を前記散水管部を介して、前記熱交換器に散水するように構成されたことを特徴とする空気調和機。
【請求項２】
フィンの成型によりフィンと一体加工された連続した略円筒型のフィン材は、先端部で次のフィンの後端部に勘合し得る径に段状に絞られた形状とした請求項１に記載の空気調和機。
【請求項３】
フィンの成型によりフィンと一体加工された連続した略円筒型のフィン材は、略円筒部を次のフィンの後端部に勘合し得るように円錐台形状とした請求項１に記載の空気調和機。
【請求項４】
フィンの成型によりフィンと一体加工された連続した略円筒型のフィン材は、円筒の一部に切り欠きを設けて散水量を各フィン間において一様になるように調整した請求項１〜３に記載の空気調和機。
【請求項５】
フィンの成型によりフィンと一体加工された連続した略円筒型のフィン材は、フィン成型の際に円筒の一部にノズル形状となる穴加工を施し、散水量を各フィン間において一様になるように調整した請求項１〜３に記載の空気調和機。
【発明の詳細な説明】
【技術分野】
【０００１】
本発明は、熱交換器を洗浄するのに好適な空気調和機に関するものである。
【背景技術】
【０００２】
従来、この種の空気調和機は、熱交換器の表面に付着した塵埃が堆積して通風阻害による性能低下を引き起こしたり、不快な臭気の発生や人体に有害なカビを繁殖させたり等の悪影響を及ぼすことを防止するために、熱交換器の上部近傍の全周にわたって散水管を設け、該散水管には導入された洗浄液等を散水する多数の散水孔を設け、熱交換器の上部近傍から熱交換器の表面上に洗浄液等を散水し、熱交換器に付着している微細な塵埃を洗浄除去する方法が提案されている（例えば、特許文献１参照）。
【０００３】
図６は、特許文献１に記載された従来の空気調和機の平面断面図を示し、図７は、同じく側面断面図を示し、図８は、図７の部分拡大断面図を示すものである。図６、図７、および図８において、室内機１の略中央部に遠心送風機３及び遠心送風機３を回転駆動するためのモータ２を備え、遠心送風機３の周囲に熱交換器４を配設している。
【０００４】
熱交換器４では特に冷房運転中に結露が生じ、ドレン水が発生する。このドレン水を、熱交換器４の下方に配置したドレンパン５により受けて、これをドレンパン５の適所に設けられたドレンポンプ１０によりホース等の排出手段を介して機外へ排出する。また、遠心送風機３の回転により発生する風は、化粧パネル７の中央部に設けられた吸込口８からフィルタ１３を通過しベルマウス６を介して遠心送風機３に吸込まれ、さらに遠心送風機３から吹出した風は、熱交換器４を通過し吹出口９より機外に送風される。熱交換器４の上部近傍の全周にわたって散水管１１を設けられ、散水管１１には、散水管１１に導入された洗浄液等を排出する多数の散水孔１１ａが設けられている。
【０００５】
熱交換器４に微細な塵埃が堆積し洗浄する必要が生じた場合には、機外にポンプ（図示せず）を供給ホース（図示せず）を介して室内機１の外部に設けた洗浄液導入口１１ｂに接続し、加圧された洗浄液等を散水管１１に供給し、散水孔１１ａから熱交換器４の表面上に洗浄液等を散水して熱交換器４に付着している微細な塵埃を洗浄除去する。洗浄後の洗浄液等は、ドレンパン５に溜り、ドレンポンプ１０によりドレン水排出口１０ｂに接続される排出ホース等を介して機外に排出されるように構成されている。
【特許文献１】特開２００３−１３９４９３号公報
【発明の開示】
【発明が解決しようとする課題】
【０００６】
しかしながら、前記従来の構成では、熱交換器の上部近傍の全周にわたって設けられた散水管と熱交換器の相対位置がずれた場合、散水孔から散水される洗浄液等が意図した方向に散水されず、熱交換器の洗浄が的確に行われない、もしくは前記のような不具合を回避するため、散水管と熱交換器の相対位置を規制するための特別な散水管取り付け構造が別途必要になり、コストアップを招来するという課題を有していた。
【０００７】
本発明は、前記従来の課題を解決するもので、散水管と熱交換器の相対位置を規制するための特別な散水管取り付け構造を必要とせず低コストであり、かつ常に熱交換器に対して洗浄液等を一定の方向に散水することができ、熱交換器の洗浄を的確に行うことができる空気調和機を提供することを目的とする。
【課題を解決するための手段】
【０００８】
前記従来の課題を解決するために、本発明の空気調和機は、熱交換器と、前記熱交換器を構成するフィンと、前記熱交換器の上方にあって前記フィンを貫挿するように配置され、かつ前記フィンの成型によりフィンと一体加工された連続した略短円筒型のフィン材により構成された散水管部とを有し、前記熱交換器の洗浄を行う際に、ポンプにより加圧された洗浄液を前記散水管部を介して、前記熱交換器に散水するように構成したものである。これによって、散水管は熱交換器と一体で成型されることになり、散水管と熱交換器の相対位置は一義的に定まるため、散水管の位置を規制するために特別な散水管取り付け構造は必要なく低コストであり、かつ常に熱交換器に対して洗浄液等を一定の方向に散水することができ、熱交換器の洗浄を的確に行うことができる。
【０００９】
また、本発明の空気調和機は、フィンの成型によりフィンと一体加工された連続した略円筒型のフィン材を、先端部で次のフィンの後端部に勘合し得る径に段状に絞られた形状としたものである。これによって、フィンを重ねることにより散水用管が形成されるので、別途散水用管として銅管をフィンに貫挿して拡管する必要がなくなり、さらに低コストで熱交換器の洗浄を的確に行うことができる構成が可能となる。
【００１０】
また、本発明の空気調和機は、フィンの成型によりフィンと一体加工された連続した略円筒型のフィン材は、円筒の一部に切り欠きを設けて散水量を各フィン間において一様になるように調整したものである。これによって、熱交換器の各フィン間に供給する洗浄液等を適量に調整することができるので、洗浄液等の過剰供給による飛散や洗浄液等の浪費の防止を図ることができるとともに、熱交換器の塵埃が堆積しやすい箇所に的確に洗浄液等を供給できるようになる。
【発明の効果】
【００１１】
本発明の空気調和機は、熱交換器と、前記熱交換器を構成するフィンと、前記熱交換器の上方にあって前記フィンを貫挿するように配置され、かつ前記フィンの成型によりフィンと一体加工された連続した略短円筒型のフィン材により構成された散水管部とを有し、前記熱交換器の洗浄を行う際に、ポンプにより加圧された洗浄液を前記散水管部を介して、前記熱交換器に散水するように構成されているので、散水管は熱交換器と一体で成型されることになり、散水管と熱交換器の相対位置は一義的に定まるため、散水管の位置を規制するために特別な散水管取り付け構造は必要なく低コストであり、かつ常に熱交換器に対して洗浄液等を一定の方向に散水することができ、熱交換器の洗浄を的確に行うことができる。
【発明を実施するための最良の形態】
【００１２】
第１の発明は、熱交換器と、前記熱交換器を構成するフィンと、前記熱交換器の上方にあって前記フィンを貫挿するように配置され、かつ前記フィンの成型によりフィンと一体加工された連続した略短円筒型のフィン材により構成された散水管部とを有し、前記熱交換器の洗浄を行う際に、ポンプにより加圧された洗浄液を前記散水管部を介して、前記熱交換器に散水するように構成することにより、散水管は熱交換器と一体で成型されることになり、散水管と熱交換器の相対位置は一義的に定まるため、散水管の位置を規制するために特別な散水管取り付け構造は必要なく低コストであり、かつ常に熱交換器に対して洗浄液等を一定の方向に散水することができ、熱交換器の洗浄を的確に行うことができる。
【００１３】
第２の発明は、特に、第１の発明のフィンの成型によりフィンと一体加工された連続した略円筒型のフィン材を、先端部で次のフィンの後端部に勘合し得る径に段状に絞られた形状としたことで、フィンを重ねることにより散水用管が形成されるので、別途散水用管として銅管をフィンに貫挿して拡管する必要がなくなり、さらに低コストで熱交換器の洗浄を的確に行うことができる。
【００１４】
第３の発明は、特に、第１の発明のフィンの成型によりフィンと一体加工された連続した略円筒型のフィン材を、略円筒部を次のフィンの後端部に勘合し得るように円錐台形状とすることで、第２の発明と同様の効果を得ることができる。
【００１５】
第４の発明は、特に、第１の発明のフィンの成型によりフィンと一体加工された連続した略円筒型のフィン材を、円筒の一部に切り欠きを設けて散水量を各フィン間において一様になるように調整することで、熱交換器の各フィン間に供給する洗浄液等を適量に調整することができるので、洗浄液等の過剰供給による飛散や洗浄液等の浪費の防止を図ることができるとともに、熱交換器の塵埃が堆積しやすい箇所に的確に洗浄液等を供給できるようになる。
【００１６】
第５の発明は、特に、第４の発明の円筒の一部に設けた切り欠きを、フィン成型の際に円筒の一部にノズル形状となる穴加工を施して散水量を各フィン間において一様になるように調整することで、第４の発明と同様の効果を得ることができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における空気調和機の熱交換器の要部斜視図であり、Ａ部は、本実施の形態を説明するためにフィン２１を記載しない状態で表している。図１において、熱交換器４は、一定間隔で平行に並べられた複数のフィン２１と、フィン２１に略直角に貫挿された複数の冷媒管１６を端部においてＵ字管１８で連結接続して冷媒流路を形成し、フィン２１と略直角かつ冷媒管１６と略直角方向（図示せず）に流れる空気と熱交換するように構成されている。熱交換器４の最上方には、冷媒管１６の代わりに給水管１９が、Ａ部に示すように途中まで挿入されている。
【００１９】
図２は、図１における給水管１９の部分での拡大断面図を示す。図２において、下方にはフィン２１に冷媒管１６が貫挿されており、上方には短円筒部２２がフィン２１と一体成型され、短円筒部先端２３が隣接するフィン２１の短円筒部後端２４に連続的に勘合し、熱交換器４の全幅に渡って散水管部２５を形成している。短円筒部先端２３は短円筒部後端２４に勘合しやすいようにフィン幅に相当する位置に段が設けられている。
【００２０】
以上のように構成された空気調和機について、以下その動作、作用を説明する。熱交換器４に微細な塵埃が堆積し洗浄する必要が生じた場合には、機外にポンプ（図示せず）を供給ホース（図示せず）を介して給水管１９に接続し、加圧された洗浄液等を散水管部２５に供給する。洗浄液等は、散水管部を構成するフィン２１の短円筒部先端２３と隣接するフィン２１の短円筒部後端２４の勘合部の隙間を介して、フィン２１の表面に流れ出て、フィン２１表面に付着している微細な塵埃を洗浄除去する。洗浄後の洗浄液等は、ドレンパン５（図示せず）に溜り、ドレンポンプ１０（図示せず）により機外に排出される。
【００２１】
以上のように、本実施の形態においては、散水管部２５は熱交換器４と一体成型されており、散水管部２５と熱交換器４の相対位置は一義的に定まるため、散水管の位置を規制するために特別な散水管取り付け構造は必要なく低コストで熱交換器の洗浄を的確に行うことができる。
【００２２】
また、本実施の形態のフィン２１の短円筒部２２を図３に示す円錐台形状とすることにより、特に、フィンの成型加工が容易でありながら、同様に低コストで熱交換器の洗浄を的確に行うことができる。
【００２３】
また、本実施の形態のフィン２１の短円筒部２２を図４に示すように一部に切り欠き２６を設ける、あるいは図５に示すようにフィン２１の短円筒部２２にノズル穴２７を設けることにより、洗浄液等の噴射方向を規制することが可能となり、熱交換器の洗浄をさらに的確に行うことができる。
【産業上の利用可能性】
【００２４】
以上のように、本発明にかかる空気調和機は、冷媒管と散水管を併せて貫挿した単一の熱交換器を低コストで実現することが可能となるので、熱交換器表面への芳香剤などの供給や、被空調室空間への加湿といった用途にも適用できる。
【図面の簡単な説明】
【００２５】
【図１】本発明の実施の形態１における空気調和機の熱交換器の要部斜視図
【図２】本発明の実施の形態１における空気調和機の熱交換器の要部拡大断面図
【図３】本発明の実施の形態２における空気調和機の熱交換器の要部拡大断面図
【図４】本発明の実施の形態１における空気調和機の熱交換器の要部拡大斜視図
【図５】本発明の実施の形態１における空気調和機の熱交換器の要部拡大斜視図
【図６】従来の空気調和機の平面断面図
【図７】従来の空気調和機の側面断面図
【図８】従来の空気調和機の部分拡大断面図
【符号の説明】
【００２６】
１  室内機
２  モータ
３  遠心送風機
４  熱交換器
４ａ  冷媒配管
５  ドレンパン
６  ベルマウス
７  化粧パネル
８  吸込口
９  吹出口
１０  ドレンポンプ
１０ｂ  ドレン水排出口
１１  散水管
１１ａ  散水孔
１１ｂ  洗浄液導入口
１３  フィルタ
１６  冷媒管
１９  給水管
２１  フィン
２２  短円筒部
２３  短円筒部先端
２４  短円筒部後端
２５  散水管部
２６  切り欠き
２７  ノズル穴
【図１】
2008020088.tif 000003
【図２】
2008020088.tif 000004
【図３】
2008020088.tif 000005
【図４】
2008020088.tif 000006
【図５】
2008020088.tif 000007
【図６】
2008020088.tif 000008
【図７】
2008020088.tif 000009
【図８】
2008020088.tif 000010